(57)【要約】この発明は、例えばサラダ、フルーツジュースのエキス、使い捨て分野の飲料自動販売機用定量容器入りの飲み物、練り歯磨きなど、食品分野の物品を長い期間に渡って包装および保管するための、特にスチロールおよび／またはポリオレフィンから成るプラスチック容器（１０）に関する。密閉されたプラスチック容器内への酸素の進入を低減するために、外側および／または内側の容器表面（１５）を、酸素に対する防護特性を持つラッカー層（３０）で被覆する。【特許請求の範囲】
【請求項１】
例えばサラダ、フルーツジュースのエキス、使い捨て分野の飲料自動販売機用定量容器入りの飲み物、練り歯磨きなど、食品分野の物品を長い期間に渡って包装および保管するための、特にスチロールおよび／またはポリオレフィンから成るプラスチック容器において、この密閉されたプラスチック容器内への酸素の進入を低減するために、外側および／または内側の容器表面（１５，２５）が、酸素に対する防護特性を持つラッカー層（３０）で被覆されていることを特徴とするプラスチック容器（１０，２０）。
【請求項２】
当該のラッカー被覆（３０）が、吹付け被覆および／または浸漬被覆であることを特徴とする請求項１に記載のプラスチック容器（１０，２０）。
【請求項３】
当該の被覆する容器表面（１５，２５）は、その被覆前に、例えば火炎処理によって前処理されるとともに、例えば油脂の無いおよび／または粉塵の無いおよび／またはざらざらした状態にされることを特徴とする請求項１または２に記載のプラスチック容器（１０，２０）。
【請求項４】
当該の容器表面（１５，２５）上への被覆後に、当該のラッカー層（３０）が、例えば乾燥あるいは硬化するために、例えば熱の供給および／または紫外線の照射によって後処理されることを特徴とする請求項１から３までのいずれか一つに記載のプラスチック容器（１０，２０）。
【請求項５】
当該の容器表面（１５，２５）上に被覆されたラッカー層（３０）が、その特性、例えば機械的な強度、熱膨張、容器内容物質に対する化学的な抵抗力に関して、容器材料と場合によっては容器内容物質に対して、十分に適合されていることを特徴とする請求項４に記載のプラスチック容器（１０，２０）。
【請求項６】
当該の被覆に使用されるラッカーにおいて、近代的なエポキシ樹脂またはアミン添加物が、ベースとして使用されていることを特徴とする請求項１から５までのいずれか一つに記載のプラスチック容器（１０，２０）。
【請求項７】
当該の実用的な被覆（３０）が、少なくとも二つの重なって配置された個別被覆から構成されていることを特徴とする請求項１から６までのいずれか一つに記載のプラスチック容器（１０，２０）。
【請求項８】
当該の実用的な被覆（３０）の厚さが、約０．００３μｍ〜０．０３μｍ、有利には０．００７μｍ〜０．０１μｍの範囲内において可変であることを特徴とする請求項１から７までのいずれか一つに記載のプラスチック容器（１０，２０）。
【発明の詳細な説明】
【技術分野】
【０００１】
この発明は、一般的に市場に出回って、知られている、例えばサラダ、フルーツジュースのエキス、使い捨て分野の飲料自動販売機用定量容器入りの飲み物、練り歯磨きなど、食品分野の物品を長い期間に渡って包装および保管するための、特にスチロールおよび／またはポリオレフィンから成るプラスチック容器に関する。
【背景技術】
【０００２】
現在市場に存在する、スチロールおよび／またはポリオレフィンから成る容器形状の包装体では、酸素に対する防護特性が十分に高くなく、その結果酸素が、拡散により外から閉じられたプラスチック容器内に到達することができるという問題が発生している。酸素のプラスチック容器内へのゆっくりとした進入によって、内容物の安定性が悪い影響を受けて、貯蔵期間をより長くすることが妨げられている。
【発明の開示】
【発明が解決しようとする課題】
【０００３】
この従来技術を出発点として、この発明の課題は、酸素に対する容器材料の防護特性を、容器材料自体を大きく変えることなく、簡単な手段により改善することである。
【課題を解決するための手段】
【０００４】
この設定した課題は、明らかにした請求項１の特徴により、密閉されたプラスチック容器内への酸素の進入を低減するために、外側および／または内側の容器表面を、酸素に対する防護特性(Barriereeigenschaft) を持つラッカー層(Lackschicht) で被覆することによって解決される。
【０００５】
この発明の有利な実施形態は、従属請求項に挙げられている。
【０００６】
酸素に対する防護特性を持つラッカー層で容器表面を被覆することにより、密閉されたプラスチック容器内への酸素の進入が困難となり、そのことによって、貯蔵期間が著しく延びる。これに関して、多くの場合、プラスチック容器の外部表面をラッカーで被覆するだけで十分である。しかし、吹付け被覆または浸漬被覆の場合など、使用する被覆方法に応じて、容器内容物と被覆ラッカーとの間に差し障りが無いならば、プロセス工学的な理由から、プラスチック容器の自由に近づき得る表面全体を一回の作業工程で被覆するのが、より安価なこともある。この場合、ラッカーは、容器内容物質に対して化学的な抵抗力がなければならない。
【０００７】
通常、近代的なエポキシ樹脂またはアミン添加物を持つ被覆ラッカーが、ベースとして使用され、このラッカー層は、単一層の形で形成される。しかし、必要に応じて、複数の層を重ねて配置することも可能である。このようにして構成した防護層または障壁層は、その製作に関して、単一層よりも費用がかかるけれども、個々の層を様々な材料から構成することが可能であり、その際金属被覆によって製作された層を含めることもできる。
【０００８】
製作方法、使用する材料および層構造に応じて、実用的な層の厚さは、約０．００３μｍ〜０．０３μｍ、有利には０．００７μｍ〜０．０１μｍの範囲内において可変である。
【０００９】
プラスチック容器を使用する際に、ラッカーが、完全な層として維持されたまま、例えば「剥離」しないようにするためには、被覆する容器表面上に、被覆ラッカーを十分にしっかりと固着させなければならない。このような固着を確実に行うために、容器表面は、その被覆前に、前処理されて、その結果容器表面は、例えば油脂の無いおよび／または粉塵の無いおよび／またはざらざらした状態とされる。
【００１０】
容器表面上への固着、内容物質との間で差し障りの無いこと、機械的な強度に関して、ラッカー層の特性を改善するとの理由から、使用するラッカーの種類に応じて、容器表面上に被覆した後、例えば乾燥あるいは硬化するために、ラッカー層を後処理する必要がある。その場合、この後処理は、例えば熱の供給および／または紫外線の照射によって実施することができる。
【００１１】
後処理を伴うまたは伴わない、容器表面上に実用的に被覆されたラッカー層は、その特性、例えば機械的な強度、熱膨張、化学的な抵抗力に関して、容器材料と、場合によっては容器内容物質に対して、十分に適合されているとの特徴を有する。
【発明を実施するための最良の形態】
【００１２】
以下において、二つの実施例により、この発明をより詳しく説明する。
【００１３】
図１，２および３には、丸い横断面を持つプラスチック容器１０の平面図（図１）、側面図（図２）および垂直断面図（図３）が図示されている。ここでは、プラスチック容器１０は、平坦な底部１２とこの底部１２に対して垂直に延びる側壁１１とを持つカップ形状で構成されており、開封用タブ１４を持つ薄片１３で密閉されている。このプラスチック容器１０は、例えば飲み物を保管するために使用することができ、この発明にもとづき、その外側の表面１５全体を、酸素に対する防護特性を持つラッカー層３０で被覆されている。このラッカー層３０の厚さは、非常に薄いために、このラッカー層３０は、直接的に図示することは不可能であり、そのため被覆を行った場所への矢印３０で指し示している。密閉用薄片１３は、この実施例では、既に酸素に対する十分な防護または障壁特性を持つ材料で構成されているので、被覆されていない。
【００１４】
図４と５には、別の実施構成における、丸い横断面を持つ別のプラスチック容器２０の側面図（図４）と垂直断面図（図５）が図示されている。このプラスチック容器２０は、平坦な底部２２と、横断面がこの底部２２から離れるに従って拡大して行く形で円弧状に延びる側壁２１とを持つグラス形状で構成されている。このプラスチック容器２０は、蓋２３で密閉されており、その際蓋の周縁部２４は、側壁２１の上方の端部を包み込んでいる。
【００１５】
例えばサラダを保管するために使用される、このプラスチック容器２０も、その外側の表面２５全体を、酸素に対する防護特性を持つラッカー層３０で被覆されている。この実施例では、プラスチック容器２０と同じ材料で製造されている、容器の蓋２３は、同様にその外側２６上にラッカー層３０を配備しており、その結果密閉されたプラスチック容器２０内への酸素の進入は、ぐるっと周りに存在するラッカー層３０によって困難となっている。
【００１６】
この発明は、図示した使用例に限定されるものではなく、長期間の保管の際における酸素の進入に対して、その内容物を保護することが求められる、様々な形態のすべての容器にも広範囲に使用可能なものである。
【図面の簡単な説明】
【００１７】
【図１】薄片で密閉されたプラスチック容器の平面図。
【図２】図１のプラスチック容器の側面図。
【図３】図１のプラスチック容器を９０°回転した垂直断面図。
【図４】蓋で密閉されたプラスチック容器の側面図。
【図５】図４のプラスチック容器の垂直断面図。
【符号の説明】
【００１８】
１０，２０    プラスチック容器
１１，２１    側壁
１２，２２    平坦な底部
１３    密閉薄片
１４    開封用タブ
１５，２５    表面
２３    容器の蓋
２４    蓋の周縁部
２６    ２３の外側
３０    ラッカー層
【図１】
2005533726.tif 000002
【図２】
2005533726.tif 000003
【図３】
2005533726.tif 000004
【図４】
2005533726.tif 000005
【図５】
2005533726.tif 000006
【手続補正書】
【提出日】平成16年1月27日(2004.1.27)
【手続補正１】
【補正対象書類名】特許請求の範囲
【補正対象項目名】全文
【補正方法】変更
【補正の内容】
【特許請求の範囲】
【請求項１】
例えばサラダ、フルーツジュースのエキス、使い捨て分野の飲料自動販売機用定量容器入りの飲み物、練り歯磨きなど、食品分野の物品を長い期間に渡って包装および保管するための、特にスチロールおよび／またはポリオレフィンから成るプラスチック容器であって、その際この密閉されたプラスチック容器（１０，２０）内への酸素の進入を低減するために、酸素の拡散を困難にする層を配備しているプラスチック容器において、外側および／または内側の容器表面（１５，２５）が、酸素に対する防護特性を持つラッカー層（３０）で被覆されており、この層は、その特性、例えば機械的な強度、熱膨張、容器内容物質に対する化学的な抵抗力に関して、容器材料と場合によっては容器内容物質に対して、十分に適合されており、その際この被覆に使用されるラッカーは、近代的なエポキシ樹脂またはアミン添加物をベースとして有することを特徴とするプラスチック容器（１０，２０）。
【請求項２】
当該のラッカー被覆（３０）は、プラスチック容器（１０，２０）の外側表面だけ、または自由に近づき得る表面全体を一回の作業工程で吹付け被覆および／または浸漬被覆したものであることを特徴とする請求項１に記載のプラスチック容器（１０，２０）。
【請求項３】
当該のラッカー層（３０）は、少なくとも二つの重なって配置された、有利には相異なる材料から成る個別層から構成されていることを特徴とする請求項１または２に記載のプラスチック容器（１０，２０）。
【請求項４】
当該の個別層の中の一つが、金属被覆によって製作された層であることを特徴とする請求項３に記載のプラスチック容器（１０，２０）。
【請求項５】
当該の容器表面（１５，２５）上への被覆後に、当該のラッカー層（３０）が、その被膜に関して、例えば乾燥あるいは硬化するために、例えば熱の供給および／または紫外線の照射によって後処理されることを特徴とする請求項１から４までのいずれか一つに記載のプラスチック容器（１０，２０）。
【請求項６】
当該の実用的なラッカー層（３０）の厚さが、約０．００３μｍ〜０．０３μｍ、有利には０．００７μｍ〜０．０１μｍの範囲内において可変であることを特徴とする請求項１から５までのいずれか一つに記載のプラスチック容器（１０，２０）。
【請求項７】
当該の被覆する容器表面（１５，２５）は、その被覆前に、例えば火炎処理によって前処理されるか、あるいは例えば油脂の無いおよび／または粉塵の無いおよび／またはざらざらした状態にされることを特徴とする請求項１から６までのいずれか一つに記載のプラスチック容器（１０，２０）。
【国際調査報告】
2005533726.tif 000007
2005533726.tif 000008
2005533726.tif 000009
2005533726.tif 000010
2005533726.tif 000011
2005533726.tif 000012